(57)【要約】【課題】回路基板での部品（モジュール、素子）の実装効率をより高めることが可能な、テレビジョン受像機あるいは電子機器を得る。【解決手段】実施形態にかかるテレビジョン受像機は、筐体と、回路基板と、電子部品と、補強板と、収容部品と、支持部と、を備える。回路基板は、筐体に収容される。電子部品は、回路基板に設けられる。補強板は、回路基板と当接された第一面と、この第一面とは反対側に位置されて筐体の内部に露出された第二面と、を含む。収容部品は、筐体に収容され、回路基板の表面から離間された第一支持領域を含む。支持部は、収容部品の第一支持領域に固定された第一端部と、補強板の第二面に固定された第二端部とを有し、収容部品を支持する。【選択図】図１６
2012195790.tif 000002
【特許請求の範囲】
【請求項１】
筐体と、
前記筐体に収容された回路基板と、
前記回路基板に設けられた電子部品と、
前記回路基板と当接された第一面と、この第一面とは反対側に位置されて前記筐体の内部に露出された第二面と、を含む補強板と、
前記筐体に収容され、前記回路基板の表面から離間された第一支持領域を含む収容部品と、
前記収容部品の前記第一支持領域に固定された第一端部と、前記補強板の第二面に固定された第二端部とを有し、前記収容部品を支持した支持部と、
を備えた、テレビジョン受像機。
【請求項２】
前記収容部品は、前記補強板の周縁部より外側で前記筐体内に支持された第二支持領域を有した、請求項１に記載のテレビジョン受像機。
【請求項３】
前記収容部品の前記第一支持領域は、前記回路基板とは反対側から前記第一端部に重ねられた、請求項２に記載のテレビジョン受像機。
【請求項４】
前記回路基板には、該回路基板の表面から離間された接続部を含むコネクタが実装され、
前記収容部品の第二支持領域は、前記コネクタの前記接続部に接続された、請求項３に記載のテレビジョン受像機。
【請求項５】
前記支持部は、前記第一端部とは異なる位置で、前記収容部品の前記第一支持領域に当接された第三端部を有した、請求項１〜４のうちいずれか一つに記載のテレビジョン受像機。
【請求項６】
筐体と、
前記筐体に収容された回路基板と、
前記回路基板に設けられた電子部品と、
前記筐体に収容され、前記回路基板の表面から離間された第一支持領域を含む収容部品と、
前記実装領域と当接された第一面と、この第一面とは反対側に位置されて前記筐体の内部に露出された第二面と、この第二面から突出されて前記第一支持領域と当接された当接部と、を含む補強板と、
を備えた、テレビジョン受像機。
【請求項７】
筐体と、
前記筐体内に収容され、第一面およびこの第一面の反対側の第二面を有した回路基板と、
前記第一面上に設けられた第一モジュールと、
前記第二面上に設けられた第二モジュールと、
前記第二面上で前記第一モジュールの反対側に位置され、前記回路基板を補強し、前記第二モジュールを支持または固定した、補強部材と、
を備えた、電子機器。
【請求項８】
筐体と、
前記筐体内に収容され、第一面およびこの第一面の反対側の第二面を有した回路基板と、
前記第一面上に設けられた第一モジュールと、
前記第二面上に設けられた第二モジュールと、
前記第二面上で、前記第一モジュールの反対側となる領域の周縁部またはこの周縁部より内側に位置された内側部分と、前記領域の外側に位置された外側部分と、を有し、前記内側部分で前記第二モジュールを支持または固定した部材と、
を備えた、電子機器。
【請求項９】
前記第一モジュールと前記第二モジュールとが、前記回路基板の厚さ方向に重なった、請求項７または８に記載の、電子機器。
【請求項１０】
前記第二面と前記第二モジュールとの間に位置された第三モジュールを備えた、請求項７〜９のうちいずれか一つに記載の、電子機器。
【請求項１１】
面を有した回路基板と、
前記面上に設けられたモジュールと、
前記面に沿って設けられ、前記モジュールを支持または固定した、前記回路基板を補強した補強部材と、
を備えた、電子機器。
【発明の詳細な説明】
【技術分野】
【０００１】
本発明の実施形態は、テレビジョン受像機および電子機器に関する。
【背景技術】
【０００２】
従来、回路基板に沿って補強板が設けられた電子機器が知られている。
【先行技術文献】
【特許文献】
【０００３】
【特許文献１】特開２０１０−０９３３１０号公報
【発明の概要】
【発明が解決しようとする課題】
【０００４】
この種の電子機器では、回路基板での部品（モジュール、素子）の実装効率をより高めることが望まれている。
【０００５】
そこで、本発明の実施形態は、回路基板での部品（モジュール、素子）の実装効率をより高めることが可能な、テレビジョン受像機あるいは電子機器を得ることを目的の一つとする。
【課題を解決するための手段】
【０００６】
本発明の実施形態にかかるテレビジョン受像機は、筐体と、回路基板と、電子部品と、補強板と、収容部品と、支持部と、を備える。回路基板は、筐体に収容される。電子部品は、回路基板に設けられる。補強板は、回路基板と当接された第一面と、この第一面とは反対側に位置されて筐体の内部に露出された第二面と、を含む。収容部品は、筐体に収容され、回路基板の表面から離間された第一支持領域を含む。支持部は、収容部品の第一支持領域に固定された第一端部と、補強板の第二面に固定された第二端部とを有し、収容部品を支持する。
【図面の簡単な説明】
【０００７】
【図１】図１は、第１実施形態にかかるテレビジョン受像機の一例が示された正面図である。
【図２】図２は、第１実施形態にかかるテレビジョン受像機に含まれる回路基板の一例の一部が示された斜視図である。
【図３】図３は、図２から無線ＬＡＮモジュールが取り外された状態が示された斜視図である。
【図４】図４は、第１実施形態にかかるテレビジョン受像機に含まれる補強部材の一例が示された斜視図である。
【図５】図５は、第１実施形態にかかるテレビジョン受像機に含まれる無線ＬＡＮモジュールの一例が示された斜視図である。
【図６】図６は、第２実施形態にかかる電子機器の一例の展開状態での斜視図である。
【図７】図７は、第２実施形態にかかる電子機器の第一部分の筐体の上側部分の一例の筐体内側が示された斜視図である。
【図８】図８は、第２実施形態にかかる電子機器の第一部分の一例の下側部分が外されて筐体の内部が示された平面図である。
【図９】図９は、第２実施形態にかかる電子機器の回路基板の一例の一面側が示された平面図である。
【図１０】図１０は、第２実施形態にかかる電子機器の回路基板の一例の他面側が示された平面図である。
【図１１】図１１は、第２実施形態にかかる電子機器の回路基板の一つのモジュールに対応して補強板が設けられた部分の一例が示された斜視図である。
【図１２】図１２は、第２実施形態にかかる電子機器に含まれた補強部材の一例が示された斜視図である。
【図１３】図１３は、第２実施形態にかかる電子機器に含まれた回路基板の補強板が取り付けられる領域の一例が示された斜視図である。
【図１４】図１４は、図１１から無線ＬＡＮモジュールが取り外された状態が示された斜視図である。
【図１５】図１５は、第２実施形態にかかる電子機器に含まれた無線ＬＡＮモジュールの一例が示された斜視図である。
【図１６】図１６は、図９のXVI−XVI断面図である。
【図１７】図１７は、図８のXVII−XVII断面図である。
【図１８】図１８は、第１変形例にかかる電子機器の補強板を含む回路基板の一部の一例が示された断面図である。
【図１９】図１９は、第２変形例にかかる電子機器の補強板を含む回路基板の一例が示された断面図である。
【図２０】図２０は、第３変形例にかかる電子機器の補強板の一例が示された斜視図である。
【図２１】図２１は、第４変形例にかかる電子機器の補強板の一例が示された斜視図である。
【図２２】図２２は、第５変形例にかかる電子機器の補強板の一例が示された斜視図である。
【図２３】図２３は、第６変形例にかかる電子機器の補強板を含む回路基板の一例が示された断面図である。
【図２４】図２４は、第７変形例にかかる電子機器の支持部材としてのコネクタを含む回路基板の一例が示された断面図である。
【発明を実施するための形態】
【０００８】
以下、本発明の実施形態について詳細に説明する。なお、以下の複数の実施形態および変形例には、同様の構成要素が含まれている。以下では、それら同様の構成要素には共通の符号が付与され、重複する説明が省略される。また、以下の実施形態の各図では、便宜上の方向が規定される。Ｘ方向は発明にかかわる構成を備えた筐体２ａの幅方向、Ｙ方向は高さ方向（第２実施形態では奥行方向）、Ｚ方向は厚さ方向である。Ｘ方向、Ｙ方向、およびＺ方向は、相互に直交している。
【０００９】
＜第１実施形態＞
図１は、本実施形態にかかる電子機器としてのテレビジョン受像機（テレビジョン装置、映像表示装置）１００の一例の正面図である。図１に示されるように、テレビジョン受像機１００は、前方から見た正面視（前面に対する平面視）で、横方向（Ｘ方向）に長く縦方向（Ｙ方向）に短い長方形状の外観を呈している。このテレビジョン受像機１００は、筐体２ａと、筐体２ａの前面１０１ａに設けられた開口部１０１ｂから前方に露出する表示画面１０２ａを有した表示モジュール（表示装置、モジュール）としてのディスプレイパネル１０２（例えば、ＬＣＤ（liquid crystal display）や、ＯＥＬＤ（organic electro-luminescent display）等）と、素子（部品、電子部品、モジュール）１８（図２等参照）等が実装された回路基板１０と、を備えている。ディスプレイパネル１０２および回路基板１０は、筐体２ａに、図示しないねじ等によって固定されている。
【００１０】
ディスプレイパネル１０２は、前後方向（図１の紙面に垂直な方向、Ｚ方向、図２等参照）に薄い扁平な直方体状に形成されている。ディスプレイパネル１０２は、回路基板１０に実装された素子１８（図２等参照）等で構成された制御回路に含まれる映像信号処理回路（いずれも図示せず）から映像信号を受け取り、その前面側の表示画面１０２ａに、静止画や動画等の映像を表示させる。テレビジョン装置としての電子機器１の制御回路は、映像信号処理回路の他、いずれも図示しないチューナ部や、ＨＤＭＩ（High-Definition Multimedia Interface）信号処理部、ＡＶ（Audio Video）入力端子、リモコン信号受信部、制御部、セレクタ、オンスクリーンディスプレイインタフェース、記憶部（例えば、ＲＯＭ（Read Only Memory）、ＲＡＭ（Random Access Memory）、ＨＤＤ（Hard Disk Drive）等）、音声信号処理回路等を有している。回路基板１０は、筐体２ａ内のディスプレイパネル１０２の後方に収容されている。また、テレビジョン受像機１００は、音声出力用のアンプやスピーカ等（図示せず）も内蔵している。
【００１１】
図２は、回路基板１０の、モジュール（図視されず）が実装された領域の裏側に補強板３０Ａが設けられた部分の斜視図である。図２に示されるように、補強板３０Ａは、無線ＬＡＮ（local area network）モジュール４０で覆われている。無線ＬＡＮモジュール４０は、コネクタ４１に接続されている。無線ＬＡＮモジュール４０は、収容部品（モジュール、部品）の一例である。
【００１２】
図３は、図２から無線ＬＡＮ（local area network）モジュール４０が取り外された状態、すなわち、無線ＬＡＮモジュール４０が取り付けられる前の状態が示された斜視図である。図３に示されるように、回路基板１０の面１０ａ上の、補強板３０Ａの内側となる位置には、複数の比較的小さい（背が低い）素子（部品）１８が実装されている。補強板３０Ａは、素子１８が実装されていない領域上に位置されている。固定具２７と突出部３１ｃとが締結されて、補強板３０Ａが回路基板１０に固定される。素子１８が実装されていない領域に設けられた素子１８は、第三モジュールの一例である。
【００１３】
図４は、補強板３０Ａの斜視図である。補強板３０Ａは、第一部材３１と第二部材３２とが一体化されて構成されている。第一部材３１は、環状部３１ａ、角部３１ｂ、突出部３１ｃ、および端部３１ｄを有する。環状部３１ａは、矩形環状に構成されている。角部３１ｂは、環状部３１ａで対角をなす位置に位置されている。突出部３１ｃは、角部３１ｂから、環状部３１ａの外方に突出し、円板状に形成されている。突出部３１ｃには、雌ねじ孔（固定部、締結部）３０ａが設けられている。端部３１ｄは、矩形環状の環状部３１ａの一辺部の一例である。
【００１４】
第二部材３２は、ベース部３２ａ、端部３２ｂ、突出部３２ｃ、および受部３０ｅ，３０ｆを有する。ベース部３２ａは、環状部３１ａの一辺部としての端部３１ｄ上に重ねられて、この端部３１ｄに沿って延びている。また、ベース部３２ａは、その両端部３２ｂで屈曲され、Ｕ字状に形成されている。突出部３２ｃは、両端部３２ｂで第一部材３１から離間する方向に突出（起立）している。受部３０ｅ，３０ｆは、突出部３２ｃの先端に位置され、第一部材３１と並行した（平行な）円板状に設けられている。受部３０ｅには、雌ねじ孔３２ｄが設けられている。本実施形態では、第二部材３２は、支持部の一例であり、ベース部３２ａは、第二端部の一例である。
【００１５】
第一部材３１および第二部材３２は、一例としては、溶接（例えばスポット溶接等）によって、一体化（結合）されている。本実施形態では、一例として、第一部材３１の端部３１ｄと、ベース部３２ａとが、複数箇所（例えば４箇所）で、スポット溶接されている。
【００１６】
補強板３０は、回路基板１０の面１０ａまたは面１０ｂに沿って、好適には、面１０ａまたは面１０ｂに当接（接触）した状態で設けられている。本実施形態では、補強板３０Ａは、回路基板１０の面１０ａ側に位置されて、面１０ａに当接された第一面３０ｂ（図４等参照）と、この第一面と反対側に位置されて筐体２ａ内に露出する第二面３０ｃと、を有する。なお、補強板３０が回路基板１０の面１０ｂ側に位置された場合、その第一面は回路基板１０の面１０ｂに当接され、第二面３０ｃは筐体２ａ内に露出される。
【００１７】
図５は、無線ＬＡＮモジュール４０の斜視図である。無線ＬＡＮモジュール４０は、その厚さ方向（Ｚ方向）の視線では、矩形状（長方形状または正方形状）の外観を呈している。この無線ＬＡＮモジュール４０は、ボディ（ハウジング）４０ａ、フランジ部４０ｂ、およびコネクタ部４０ｃを有する。ボディ４０ａは、扁平な直方体状に形成されている。フランジ部４０ｂは、矩形の一辺の両端部となる２箇所の角部４０ｄに矩形状の比較的薄い厚さの板状部として設けられている。フランジ部４０ｂには、貫通孔４０ｅが設けられている。コネクタ部４０ｃは、２箇所の角部４０ｄの反対側となる端部（辺部）４０ｆから外側に突出し、端部４０ｆに沿ってほぼ一定幅で延びている。
【００１８】
また、図２，３等に示されるように、コネクタ４１は、細長い直方体状に形成されている。コネクタ４１は、回路基板１０の端部１０ｅに沿って、この端部１０ｅと補強板３０Ａの端部３０ｄとの間に設けられている。回路基板１０の端部１０ｅ、コネクタ４１、および補強板３０Ａの端部３０ｄは、並行して（平行に）設けられている。コネクタ４１は、面１０ａ上に例えばはんだ付け等によって固定されている。
【００１９】
作業者は、無線ＬＡＮモジュール４０のコネクタ部４０ｃをコネクタ４１の接続部４１ａに差し込んだ後、無線ＬＡＮモジュール４０のフランジ部４０ｂを補強板３０Ａの受部３０ｅ，３０ｆ上に載せる。そして、作業者は、フランジ部４０ｂの貫通孔４０ｅを貫通したねじ等の固定具４２を、補強板３０Ａの受部３０ｅの雌ねじ孔３２ｄに締結する。接続部４１ａは、コネクタ部４０ｃの接続部４１ａの開放方向（図２，３の左方向）への移動、ならびにフランジ部４０ｂが跳ね上がる方向への回動を許容し、他の方向への移動ならびに回動を規制するため、固定具４２を用いてフランジ部４０ｂを受部３０ｅに固定することで、無線ＬＡＮモジュール４０を、図２に示される状態に固定することができる。よって、受部３０ｅは、留部（固定部）の一例である。一方、受部３０ｆには、フランジ部４０ｂは載せられるが、固定はされない。よって、受部３０ｆは、フランジ部４０ｂを支持する置部（支持部）の一例である。また、受部３０ｅは、第一端部の一例であり、受部３０ｆは、第三端部の一例である。
【００２０】
このようにして、無線ＬＡＮモジュール４０は、回路基板１０の面１０ａ上の、面１０ａから離間した位置に、面１０ａと並行した（平行な）姿勢で、位置される。また、無線ＬＡＮモジュール４０は、補強板３０Ａとコネクタ４１とで両端支持される。
【００２１】
上記構成の本実施形態では、補強板３０Ａが、収容部品（モジュール、部品）の一例としての無線ＬＡＮモジュール４０の支持や固定に利用された。よって、一例としては、回路基板１０に無線ＬＡＮモジュール４０の支持用あるいは固定用の部品が別個に設けられた場合に比べて、部品点数を減らすことができる。また、一例としては、回路基板１０に設けられる部品が減らされる分、回路基板１０で配線をより配置しやすくなる。
【００２２】
また、本実施形態では、補強板３０Ａは、支持部としての第二部材３２を有した。よって、一例としては、補強板３０Ａを、より剛性の高い部品として構成することができる。また、一例としては、補強板３０Ａをより容易に製造することができる。また、一例としては、従来の支持部を有しない補強板をより有効に活用して、収容部品を支持あるいは固定する機能を有する補強板３０Ａを、より効率良く製造することができる。また、一例としては、第一部材３１および第二部材３２のスペック（例えば、材質、曲げ剛性等）を異ならせる等することで、補強板３０Ａの二つの機能（回路基板１０の補強と収容部品の支持または固定）をより両立しやすくなる。なお、第一部材３１と第二部材３２とは、溶接による固定以外の方法（例えば、ねじ留め、溶着、接着、係合等）で結合することができる。また、第一部材３１または第二部材３２は、金属材料の他、合成樹脂材料等の他の材料で構成することもできる。
【００２３】
＜第２実施形態＞
図６は、本実施形態にかかる電子機器１の一例の展開状態での斜視図である。図６に示されるように、電子機器１は、所謂ノート型のパーソナルコンピュータとして構成されている。電子機器１は、矩形状（長方形状）の扁平な第一部分２と、矩形状（長方形状）の扁平な第二部分３と、を備えている。これら第一部分２および第二部分３は、ヒンジ機構４を介して、図６に示される展開状態と図示されない折り畳み状態との間で相対回動可能に、接続されている。
【００２４】
第一部分２には、筐体２ａの外面（表面）としての上面（天面、面）２ｂ側に露出する状態で、入力操作部（モジュール、入力装置、操作部、入力部）としてのキーボード５や、ポインティングデバイス７、クリックボタン８等が設けられている。また、第二部分３には、表示画面６ａが筐体３ａの外面（表面）としての前面（正面、面）３ｂ側に開口部３ｃから露出する状態で、表示モジュール（モジュール、表示装置、出力部）としてのディスプレイパネル６（例えば、ＬＣＤ（liquid crystal display）や、ＯＥＬＤ（organic electro-luminescent display）等）が、設けられている。展開状態では、キーボード５やディスプレイパネル６等が露出し、ユーザが使用可能な状態となる。一方、折り畳み状態では、上面２ｂと前面３ｂとが相互に近接した状態で対向して、キーボード５や、ディスプレイパネル６、ポインティングデバイス７、クリックボタン８等が、筐体２ａ，３ａによって隠される。筐体２ａは第一筐体の一例であり、筐体３ａは第二筐体の一例である。
【００２５】
第一部分２の筐体２ａは、上面２ｂを形成する矩形状（長方形状）かつ板状の上壁２ｃ、下面（底面、面、図示せず）を形成する矩形状（長方形状）かつ板状の下壁２ｄ、および側面（周面、面）２ｅを形成する側壁（周壁、縦壁、起立壁）２ｆを有している。下壁２ｄは、上壁２ｃの反対側で上壁２ｃに間隔をあけて位置されている。側壁２ｆは、上壁２ｃおよび下壁２ｄと交叉する方向（略直交方向）に沿って延び、上壁２ｃと下壁２ｄとの間に亘って設けられている。これら上壁２ｃ、下壁２ｄ、側壁２ｆは、壁部の一例である。
【００２６】
筐体２ａは、上側部分（上側筐体、部品、カバー）２Ｃと、下側部分（下側筐体、部品、ボトム）２Ｂと、を有している。これら上側部分２Ｃおよび下側部分２Ｂが一体化されて、筐体２ａが構成されている。上側部分２Ｃは、上壁２ｃを含み、側壁２ｆの一部を含むことができる。また、下側部分２Ｂは、下壁２ｄを含み、側壁２ｆの一部を含むことができる。
【００２７】
また、筐体２ａは、四つの端部（辺部）２ｇ〜２ｊを有し、四つの角部２ｋ，２ｍ，２ｎ，２ｐを有する。端部２ｇは、後端部の一例であり、端部２ｉは、後端部の反対側に位置された前端部の一例であり、端部２ｈは、右端部（側端部）の一例であり、端部２ｊは、右端部の反対側に位置された左端部（側端部）の一例である。また、上面２ｂには、幅方向（Ｘ方向）に長い長方形状の凹部２ｒが設けられている。この凹部２ｒには、キーボード５が収容される（載置される）。凹部２ｒは、キーボード５の収容部または載置部の一例である。
【００２８】
上壁２ｃの凹部２ｒより手前側の部分には、パームレスト部２ｓが設けられている。パームレスト部２ｓは、比較的平坦な上面２ｂを形成している。なお、凹部２ｒが窪んでいるため、その凹部２ｒに収容された（載置された）キーボード５の上面と、パームレスト部２ｓの上面２ｂとを、ほぼ同じ高さに設定することができる。
【００２９】
図７は、筐体２ａの上側部分２Ｃの一例を筐体内側（裏側、裏面２ｔ側）から見た斜視図である。図７に示されるように、上壁２ｃの裏面２ｔには、複数の突起２ｕが設けられている。
【００３０】
また、図８は、第一部分２の下側部分２Ｂを外して筐体２ａの内部を見た平面図である。第一部分２の筐体２ａには、回路基板（基板、プリント配線基板、制御基板）１０や、ＯＤＤ２１(optical disk drive)、記憶装置２２、ヒートシンク２３、ヒートパイプ２４、放熱板２５、冷却ファン２６等が収容されている。回路基板１０は、例えばメインボードである。なお、本実施形態では、これらの部品（例えば、回路基板１０や、ＯＤＤ２１、記憶装置２２、ヒートシンク２３、ヒートパイプ２４、放熱板２５、冷却ファン２６等）が取り付けられた上側部分２Ｃに、ヒンジ機構４の一端側（図示せず）が取り付けられる。この際、既に、ヒンジ機構４の他端側（図示せず）は、アセンブリされた第二部分３に取り付けられている。その後、上側部分２Ｃに下側部分２Ｂが取り付けられる。
【００３１】
図９は、回路基板１０を面１０ａ側から見た平面図である。回路基板１０の面１０ａには、ＣＰＵ１１（central processing unit）や、グラフィックコントローラ１２、電源回路部品１３、メモリスロットコネクタ１４、ＬＣＤコネクタ１５、Ｉ／Ｏ（input/output）コネクタ１６、電源コイル、素子１８、コネクタ１９等が実装されている。
【００３２】
図１０は、回路基板１０を面１０ｂ側から見た平面図である。回路基板１０の面１０ｂには、ＰＣＨ（platform controller hub）２０や、素子１８、コネクタ１９等が実装されている。ＰＣＨ２０も、発熱体の一例である。なお、回路基板１０に実装される発熱体は、上記には限定されない。
【００３３】
本実施形態では、ＣＰＵ１１、グラフィックコントローラ１２、ＰＣＨ２０等は、回路基板１０に実装されたＩＣ（integrated circuit）の一例であり、発熱体の一例であり、サイズの比較的大きな部品（モジュール、素子、電子部品、実装部品）の一例である。なお、ＣＰＵ１１は、最も発熱量の大きい部品である。これら部品が実装された回路基板１０は、筐体２ａの上壁２ｃと下壁２ｄとの間に位置される。なお、電源回路部品１３も、比較的発熱量の大きい部品（発熱体、モジュール、素子）の一例である。
【００３４】
本実施形態では、ＣＰＵ１１、グラフィックコントローラ１２、ＰＣＨ２０等、回路基板１０に実装されたサイズが比較的大きな部品に対応して、補強板（補強部材、部材、板）３０が設けられている。補強板３０は、回路基板１０を補強して剛性を高めることができる。よって、一例としては、補強板３０により、部品等に外力の負荷等が作用して部品の応力が高まるのを、抑制することができる。
【００３５】
図９に示される補強板３０Ａは、ＰＣＨ２０に対応して、回路基板１０の面１０ａの、ＰＣＨ２０の裏側となる位置に、設けられている。図１０に示される補強板３０Ｂは、ＣＰＵ１１に対応して、回路基板１０の面１０ｂの、ＣＰＵ１１の裏側となる位置に、設けられている。また、図１０に示される補強板３０Ｃは、グラフィックコントローラ１２に対応して、回路基板１０の面１０ｂの、グラフィックコントローラ１２の裏側となる位置に、設けられている。補強板３０は、ねじやねじ付きスタッド等の固定具(固定部材）２７を用いて、回路基板１０に固定されている。固定具２７の雄ねじ部（図示せず）は、回路基板１０に対して補強板３０の反対側から回路基板１０に設けられた貫通孔１０ｃ（図１３参照）を貫通して、補強板３０に設けられた雌ねじ孔３０ａ（図１２参照）に締結される。固定具２７がねじ付きスタッドである場合、雄ねじ部の反対側の突出部分（図示せず）には雌ねじ孔（図示せず）が設けられている。この雌ねじ孔に締結されるねじ２８により、押付部材２９が突出部分の先端部に固定される。押付部材（押部材、固定部材、部材）２９は、ヒートシンク２３やヒートパイプ２４等を、ＣＰＵ１１やグラフィックコントローラ１２等の部品に押し付ける。
【００３６】
図１１は、回路基板１０の、ＰＣＨ２０に対応して補強板３０Ａが設けられた部分の斜視図である。図１１に示されるように、補強板３０Ａは、無線ＬＡＮ（local area network）モジュール４０で覆われている。無線ＬＡＮモジュール４０は、コネクタ４１に接続されている。無線ＬＡＮモジュール４０は、収容部品（モジュール、部品）の一例である。
【００３７】
図１２は、補強板３０Ａの斜視図である。補強板３０Ａは、第一部材３１と第二部材３２とが一体化されて構成されている。第一部材３１は、環状部３１ａ、角部３１ｂ、突出部３１ｃ、および端部３１ｄを有する。環状部３１ａは、矩形環状に構成されている。角部３１ｂは、環状部３１ａで対角をなす位置に位置されている。突出部３１ｃは、角部３１ｂから、環状部３１ａの外方に突出し、円板状に形成されている。突出部３１ｃには、雌ねじ孔（固定部、締結部）３０ａが設けられている。端部３１ｄは、矩形環状の環状部３１ａの一辺部の一例である。
【００３８】
第二部材３２は、ベース部３２ａ、端部３２ｂ、突出部３２ｃ、および受部３０ｅ，３０ｆを有する。ベース部３２ａは、環状部３１ａの一辺部としての端部３１ｄ上に重ねられて、この端部３１ｄに沿って延びている。また、ベース部３２ａは、その両端部３２ｂで屈曲され、Ｕ字状に形成されている。突出部３２ｃは、両端部３２ｂで第一部材３１から離間する方向に突出（起立）している。受部３０ｅ，３０ｆは、突出部３２ｃの先端に位置され、第一部材３１と並行した（平行な）円板状に設けられている。受部３０ｅには、雌ねじ孔３２ｄが設けられている。本実施形態では、第二部材３２は、支持部の一例であり、ベース部３２ａは、第二端部の一例である。
【００３９】
第一部材３１および第二部材３２は、一例としては、溶接（例えばスポット溶接等）によって、一体化（結合）されている。本実施形態では、一例として、第一部材３１の端部３１ｄと、ベース部３２ａとが、複数箇所（例えば４箇所）で、スポット溶接されている。
【００４０】
補強板３０は、回路基板１０の面１０ａまたは面１０ｂに沿って、好適には、面１０ａまたは面１０ｂに当接（接触）した状態で設けられている。本実施形態では、補強板３０Ａは、回路基板１０の面１０ａ側に位置されて、面１０ａに当接された第一面３０ｂ（図１６参照）と、この第一面３０ｂと反対側に位置されて筐体２ａ内に露出する第二面３０ｃと、を有する。なお、補強板３０が回路基板１０の面１０ｂ側に位置された場合、その第一面３０ｂは回路基板１０の面１０ｂに当接され、第二面３０ｃは筐体２ａ内に露出される。
【００４１】
図１３は、回路基板１０の補強板３０Ａが取り付けられる領域（非実装領域１０ｄ）が示された斜視図、すなわち、図１１から無線ＬＡＮモジュール４０および補強板３０Ａが取り外された状態が示された図である。図１４は、図１１から無線ＬＡＮモジュール４０が取り外された状態、すなわち、無線ＬＡＮモジュール４０が取り付けられる前の状態が示された斜視図である。図１３に示されるように、回路基板１０には、固定具２７が貫通する貫通孔１０ｃが設けられている。また、回路基板１０の面１０ａには、補強板３０Ａに対応した矩形環状に、部品の非実装領域１０ｄが設けられている。回路基板１０の面１０ａ上の、非実装領域１０ｄの内側となる位置には、複数の比較的小さい（背が低い）素子（部品、モジュール）１８が実装されている。図１４に示されるように、この非実装領域１０ｄ上に、補強板３０Ａが重ねられ（位置され）、固定具２７と突出部３１ｃとが締結されて、補強板３０Ａが回路基板１０に固定される。非実装領域１０ｄに設けられた素子１８は、第三モジュールの一例である。
【００４２】
図１５は、無線ＬＡＮモジュール４０の斜視図である。無線ＬＡＮモジュール４０は、図８等にも示されるように、その厚さ方向の視線では、矩形状（長方形状または正方形状）の外観を呈している。この無線ＬＡＮモジュール４０は、ボディ４０ａ、フランジ部４０ｂ、およびコネクタ部４０ｃを有する。ボディ４０ａは、扁平な直方体状に形成されている。フランジ部４０ｂは、矩形の一辺の両端部となる２箇所の角部４０ｄに矩形状の比較的薄い厚さの板状部として設けられている。フランジ部４０ｂには、貫通孔４０ｅが設けられている。コネクタ部４０ｃは、２箇所の角部４０ｄの反対側となる端部（辺部）４０ｆから外側に突出し、端部４０ｆに沿ってほぼ一定幅で延びている。
【００４３】
図１１，１４等に示されるように、コネクタ４１は、細長い直方体状に形成されている。コネクタ４１は、回路基板１０の端部１０ｅに沿って、この端部１０ｅと補強板３０Ａの端部３０ｄとの間に設けられている。回路基板１０の端部１０ｅ、コネクタ４１、および補強板３０Ａの端部３０ｄは、並行して（平行に）設けられている。コネクタ４１は、面１０ａ上に例えばはんだ付け等によって固定されている。
【００４４】
図１６は、図９のXVI−XVI断面図である。コネクタ４１には接続部４１ａが設けられている。接続部４１ａは、回路基板１０の面１０ａから離間した位置で、補強板３０Ａ側に向けて開口されている。接続部４１ａは、無線ＬＡＮモジュール４０のコネクタ部４０ｃと接続される。作業者は、無線ＬＡＮモジュール４０のコネクタ部４０ｃをコネクタ４１の接続部４１ａに差し込んだ後、無線ＬＡＮモジュール４０のフランジ部４０ｂを補強板３０Ａの受部３０ｅ，３０ｆ上に載せる。そして、作業者は、フランジ部４０ｂの貫通孔４０ｅを貫通したねじ等の固定具４２を、補強板３０Ａの受部３０ｅの雌ねじ孔３２ｄに締結する。接続部４１ａは、コネクタ部４０ｃの接続部４１ａの開放方向（図１６の右方向）への移動、ならびにフランジ部４０ｂが跳ね上がる方向（図１６の上方向）への回動を許容し、他の方向への移動ならびに回動を規制するため、固定具４２を用いてフランジ部４０ｂを受部３０ｅに固定することで、無線ＬＡＮモジュール４０を、図１１，１６に示される状態に固定することができる。よって、受部３０ｅは、留部（固定部）の一例である。また、受部３０ｆには、フランジ部４０ｂは載せられるが、固定はされない。よって、受部３０ｆは、フランジ部４０ｂを支持する置部（支持部）の一例である。また、受部３０ｅは、第一端部の一例であり、受部３０ｆは、第三端部の一例である。
【００４５】
図１６から明らかとなるように、無線ＬＡＮモジュール４０は、回路基板１０の面１０ａ上の、面１０ａから離間した位置に、面１０ａと並行した（平行な）姿勢で、位置される。また、無線ＬＡＮモジュール４０は、補強板３０Ａとコネクタ４１とで両端支持されている。
【００４６】
また、図１６から明らかとなるように、無線ＬＡＮモジュール４０は、ＰＣＨ２０の裏側の領域に配置されている。ＣＰＵ１１や、グラフィックコントローラ１２、ＰＣＨ２０等の比較的大きな部品（モジュール、第一モジュール）が回路基板１０に実装されている領域の裏側の領域（面１０ｂ上の領域）には、回路基板１０内に配線（図示せず）が配置されているため、他の部品（モジュール、第二モジュール）を支持したり固定したりするための支持部品（支持部材、固定部材、支持部品、固定部品、コネクタ、スタッド等、特に回路基板１０内に挿入される部分を有したもの）を設定し難い。このため、従来は、このような部品の裏側の領域には、回路基板１０に上記支持部品の設置が必要となる部品（モジュール、第二モジュール）は設けられていなかった。
【００４７】
本実施形態では、このような部品（モジュール、第一モジュール）の裏側の領域には補強板３０Ａ（３０）が設けられている場合がある点に着目し、補強板３０Ａを、他の部品（モジュール、第二モジュール）の支持あるいは固定に利用した。本実施形態によれば、部品（モジュール、第一モジュール）の裏側の領域に他の部品（モジュール、第二モジュール）を設置しやすくなるため、一例としては、回路基板１０で部品（モジュール）をより効率良く配置することが可能となり、また、一例としては、回路基板１０ひいては筐体２ａ（第一部分２）ひいては電子機器１を、より小型に構成することが可能となる。本実施形態では、回路基板１０の面１０ｂは、第一面の一例であり、ＰＣＨ２０は、第一モジュールの一例であり、回路基板１０の面１０ａは、第二面の一例であり、無線ＬＡＮモジュール４０は、第二モジュールの一例であり、補強板３０Ａは、補強部材あるいは部材の一例である。
【００４８】
また、図１２に示されるように、補強板３０Ａは、面１０ａ上でＰＣＨ２０の反対側（裏側）となる領域Ａ（図９，１６参照）の周縁部より内側の領域に対応して位置された内側部分３０ｉとして、第一部材３１の環状部３１ａ、第二部材３２のベース部３２ａ、突出部３２ｃ、および受部３０ｅ，３０ｆを有する。また、補強板３０Ａは、面１０ａ上で領域Ａの外側に対応して位置された外側部分３０ｏとして、第一部材３１の突出部３１ｃを有する。このように、本実施形態では、補強板３０Ａは、領域Ａの外側で回路基板１０に固定された外側部分３０ｏと、この外側部分３０ｏに接続されて領域Ａの内側に位置した内側部分３０ｉと、を有した部材である。そして、補強板３０Ａは、無線ＬＡＮモジュール４０を、内側部分３０ｉで支持または固定している。よって、図１６に示されるように、無線ＬＡＮモジュール４０をＰＣＨ２０の裏側で、面１０ａから離間してＰＣＨ２０と重なった位置に設けることができ、回路基板１０における部品の実装効率を高めやすくなる。
【００４９】
また、図９に示されるように、無線ＬＡＮモジュール４０の支持点の一つであるコネクタ４１は、領域Ａより外側、すなわち、補強板３０Ａの周縁部より外側に位置されている。よって、コネクタ４１を回路基板１０により容易に設けることができる。また、一端部に設けられたコネクタ部４０ｃが、補強板３０Ａの周縁部より外側でコネクタ４１に支持され（電気的に接続され）、他端部に設けられたフランジ部４０ｂが補強板３０Ａの周縁部より内側で補強板３０Ａに支持された（固定された）ため、補強板３０Ａの周縁部より内側で回路基板１０と電気的に接続することなく、より容易に無線ＬＡＮモジュール４０を設けることができる。本実施形態では、フランジ部４０ｂは、第一支持領域の一例であり、コネクタ部４０ｃは、第二支持領域の一例である。
【００５０】
また、コネクタ４１は、図９に示されるように、補強板３０Ａ（ＰＣＨ２０）に対して、回路基板１０上のメモリスロットコネクタ１４やＣＰＵ１１等の他の部品（モジュール、第四モジュール）とは反対側に設けられている。回路基板１０内の、ＰＣＨ２０と、メモリスロットコネクタ１４やＣＰＵ１１等との間、すなわち、ＰＣＨ２０に対して回路基板１０内側には、配線が比較的多く配置されているため、コネクタ４１を設けにくい場合がある。この点、本実施形態では、コネクタ４１が、補強板３０Ａ（ＰＣＨ２０）に対して、回路基板１０上のメモリスロットコネクタ１４やＣＰＵ１１等の他の部品（モジュール、第四モジュール）とは反対側、すなわち回路基板１０の周縁側に、設けられているため、配線同士の干渉を抑制しやすく、コネクタ４１をより設けやすい。また、本実施形態では、コネクタ４１は、他の配線が比較的少ない回路基板１０の端部１０ｅ（あるいはその近傍、回路基板１０の周縁部）に設けられているため、配線同士の干渉を抑制しやすく、コネクタ４１をより設けやすい。
【００５１】
また、図１７は、図８のXVII−XVII断面図である。図１７に示されるように、本実施形態では、筐体２ａの上壁２ｃの裏面２ｔに設けられた突起２ｕ（図７参照）が、回路基板１０の面１０ｂに設けられた補強板３０Ｃの第二面３０ｃに当接している。すなわち、補強板３０Ｃは、突起２ｕ（上壁２ｃ）の支持部（当接部）として機能している。よって、一例としては、補強板３０Ｃによって、上壁２ｃが筐体内側に凹んだり、曲がったりするのを抑制することができる。上壁２ｃのうち、この突起２ｕが設けられた部分は、キーボード５を収容（載置）した凹部２ｒの底壁に該当する。よって、本実施形態によれば、一例としては、上壁２ｃに設けられた（あるいは支持された）部品（モジュール）としてのキーボード５の沈みや、浮き、沈み込み、跳ね上がり、上下動、振動等が生じるのを、抑制することができる。なお、図１７では、補強板３０Ｃについてのみ示されたが、補強板３０Ｂにも対応する突起２ｕ（図７参照）が当接している。
【００５２】
以上の本実施形態では、補強板３０Ａが、収容部品（モジュール、部品）の一例としての無線ＬＡＮモジュール４０の支持や固定に利用された。よって、一例としては、回路基板１０に無線ＬＡＮモジュール４０の支持用あるいは固定用の部品が別個に設けられた場合に比べて、部品点数を減らすことができる。また、一例としては、回路基板１０に設けられる部品が減らされる分、回路基板１０で配線をより配置しやすくなる。
【００５３】
また、本実施形態では、補強板３０Ａは、支持部としての第二部材３２を有した。よって、一例としては、補強板３０Ａを、より剛性の高い部品として構成することができる。また、一例としては、補強板３０Ａをより容易に製造することができる。また、一例としては、従来の支持部を有しない補強板をより有効に活用して、収容部品を支持あるいは固定する機能を有する補強板３０Ａを、より効率良く製造することができる。また、一例としては、第一部材３１および第二部材３２のスペック（例えば、材質、曲げ剛性等）を異ならせる等することで、補強板３０Ａの二つの機能（回路基板１０の補強と収容部品の支持または固定）をより両立しやすくなる。なお、第一部材３１と第二部材３２とは、溶接による固定以外の方法（例えば、ねじ留め、溶着、接着、係合等）で結合することができる。また、第一部材３１または第二部材３２は、金属材料の他、合成樹脂材料等の他の材料で構成することもできる。
【００５４】
また、本実施形態では、収容部品の一例としての無線ＬＡＮモジュール４０は、補強板３０Ａの周縁部の一例としての環状部３１ａの外側で支持部品の一例としてのコネクタ４１に支持された。よって、一例としては、よりサイズの大きい収容部品を設けやすくなる。また、一例としては、収容部品と回路基板１０とを電気的に接続しやすくなる。
【００５５】
また、本実施形態では、第一支持領域としての無線ＬＡＮモジュール４０のフランジ部４０ｂは、回路基板１０とは反対側から補強板３０Ａに重ねられた。よって、一例としては、収容部品の一例としての無線ＬＡＮモジュール４０を、補強板３０に支持あるいは固定しやすくなる。
【００５６】
また、本実施形態では、収容部品の一例としての無線ＬＡＮモジュール４０は、支持部品としてのコネクタ４１に支持あるいは固定された。よって、一例としては、回路基板１０に無線ＬＡＮモジュール４０の支持用あるいは固定用の部品が別個に設けられた場合に比べて、部品点数を減らすことができる。
【００５７】
また、本実施形態では、収容部品の一例としての無線ＬＡＮモジュール４０は、補強部材３０Ａの第一端部および第三端部としての複数（一例として二箇所）の受部３０ｅ，３０ｆで支持あるいは固定された。よって、一例としては、無線ＬＡＮモジュール４０をより安定的に支持することができる。また、収容部品の一例としての無線ＬＡＮモジュール４０は、受部３０ｅには固定され、受部３０ｆには支持された。よって、一例としては、無線ＬＡＮモジュール４０を複数箇所で補強板３０に固定した場合に比べて、無線ＬＡＮモジュール４０の取り付けの手間を減らすことができる。
【００５８】
また、本実施形態では、電子機器１は、ＰＣＨ２０と、無線ＬＡＮモジュール４０と、補強板３０Ａと、を備えた。ＰＣＨ２０は、回路基板１０の第一面としての面１０ｂ上に設けられたモジュールの一例である。無線ＬＡＮモジュール４０は、第二面としての面１０ａ上に設けられたモジュールの一例である。また、補強板３０Ａは、面１０ａ上でＰＣＨ２０の反対側（裏側）に位置されて、回路基板１０を補強し、無線ＬＡＮモジュール４０を支持した補強部材の一例である。すなわち、ＰＣＨ２０が実装された領域の裏側の領域に無線ＬＡＮモジュール４０が位置した。よって、本実施形態によれば、一例としては、回路基板１０での部品の実装効率をより高めることができる。よって、一例としては、回路基板１０での部品のレイアウトの自由度がより高くなる。
【００５９】
また、本実施形態では、電子機器１は、ＰＣＨ２０と、無線ＬＡＮモジュール４０と、補強板３０Ａと、を備えた。ＰＣＨ２０は、回路基板１０の第一面としての面１０ｂ上に設けられたモジュールの一例である。無線ＬＡＮモジュール４０は、第二面としての面１０ａ上に設けられたモジュールの一例である。また、補強板３０Ａは、面１０ａ上で、ＰＣＨ２０の反対側となる領域Ａの周縁部またはこの周縁部より内側に位置された内側部分３０ｉと、領域Ａの外側に位置された外側部分３０ｏと、を有し、内側部分３０ｉで無線ＬＡＮモジュール４０を支持または固定した部材の一例である。すなわち、本実施形態によれば、上記部材としての補強板３０Ａを、無線ＬＡＮモジュール４０の支持や固定に利用することができる。よって、一例としては、回路基板１０に無線ＬＡＮモジュール４０の支持用あるいは固定用の部品が別個に設けられた場合に比べて、部品点数を減らすことができる。また、ＰＣＨ２０が実装された領域の裏側の領域に無線ＬＡＮモジュール４０が位置することができるため、一例としては、回路基板１０での部品の実装効率をより高めることができる。よって、一例としては、回路基板１０での部品のレイアウトの自由度がより高くなる。
【００６０】
以下、複数の変形例について説明する。以下の各変形例は、上記第１実施形態あるいは第２実施形態の構成等が部分的に置換されたものである。そして、以下の各変形例では、置換された部分が主に説明される。説明あるいは図視が省略された部分の構成等は、上記第１実施形態あるいは第２実施形態と基本的には同様であり、よって、以下の各変形例でもそれら同様の構成に基づく同様の作用や効果が得られる。
【００６１】
＜第１変形例＞
図１８は、第１変形例にかかる補強板３０Ｄを含む回路基板１０の一例が示された断面図である。本変形例では、補強板３０Ａに置換可能な補強板３０Ｄは、第二部材３２に替えて第二部材３２Ｄを有する。第二部材３２Ｄの突出部３２ｃは、弾性変形可能に構成され、無線ＬＡＮモジュール４０が装着される際に弾性変形する。具体的には、作業者の手指等で、図１８の左側のコネクタ４１の接続部４１ａに無線ＬＡＮモジュール４０のコネクタ部４０ｃが差し込まれた後、無線ＬＡＮモジュール４０のフランジ部４０ｂが図１８の上方から第二部材３２Ｄの先端部３２ｅに近付けられる。先端部３２ｅには、傾斜面３２ｆが設けられている。よって、図１８の上方から押されてこの傾斜面３２ｆに当接したフランジ部４０ｂが、第二部材３２Ｄを、その先端部３２ｅがコネクタ４１から離間する方向に弾性変形させる。これにより、一方の支持部としてのコネクタ４１と他方の支持部としての第二部材３２Ｄとの間の間隔が広がって、無線ＬＡＮモジュール４０がその保持位置へ到達可能な状態になる。そして、フランジ部４０ｂが先端部３２ｅを乗り越えて第二部材３２Ｄに例えば凹部として設けられた保持部３０ｇに到達し、このとき、第二部材３２Ｄは、その先端部３２ｅがコネクタ４１に近接する方向に戻る。すなわち、本変形例によれば、より簡単な取付操作（例えばワンタッチ操作）で、収容部品の一例としての無線ＬＡＮモジュール４０が補強板３０Ｄに支持された状態を、より容易に得ることができる。
【００６２】
＜第２変形例＞
図１９は、第２変形例にかかる補強板３０Ｅを含む回路基板１０の一例が示された断面図である。本変形例では、補強板３０Ａに置換可能な補強板３０Ｅは、第二部材３２に替えて第二部材３２Ｅを有する。第二部材３２Ｅは、ＰＣＨ２０の反対側の領域Ａの周縁部より外側の領域に突出し、収容部品の一例としての無線ＬＡＮモジュール４０が、領域Ａの周縁部より外側の領域に位置されている。本変形例によっても、補強板３０Ｅを、収容部品の一例としての無線ＬＡＮモジュール４０の支持あるいは固定に利用することができる。
【００６３】
＜第３変形例＞
図２０は、第３変形例にかかる補強板３０Ｆの一例が示された斜視図である。本変形例では、補強板３０Ａに置換可能な補強板３０Ｆでは、第一部材３１Ｆに受部３０ｅ，３０ｆが設けられている。本変形例によっても、補強板３０Ｆを、収容部品の一例としての無線ＬＡＮモジュール４０の支持あるいは固定に利用することができる。本変形例では、無線ＬＡＮモジュール４０を回路基板１０により近付けることが可能な場合に、より有効な構成である。また、第一部材３１Ｆを部分的にあるいは全体的に厚くすることで、回路基板１０からの離間距離を大きくすることも可能である。本変形例では、受部３０ｅ，３０ｆは、当接部の一例である。
【００６４】
＜第４変形例＞
図２１は、第４変形例にかかる補強板３０Ｇの一例が示された斜視図である。本変形例では、補強板３０Ａに置換可能な補強板３０Ｇでは、第一部材３１Ｇを屈曲することで回路基板１０から離間した位置に受部３０ｅ，３０ｆが設けられている。具体的には、環状部３１ａの周縁部側に起立方向（回路基板１０から離間する方向）に延びた突出部３０ｈが設けられ、突出部３０ｈの先端部から環状部３１ａの内側に向けて回路基板１０の面１０ａに沿った方向に延びたアーム部３０ｍが設けられ、そのアーム部３０ｍの先端部に受部３０ｅ，３０ｆが設けられている。受部３０ｅ，３０ｆの位置は、補強板３０Ａと同じに設定することができるし、別に設定することもできる。本変形例によれば、一例としては、補強板３０Ｇを構成する部材の数を減らすことができるとともに、一例としては、製造の手間を減らすことができる。本変形例でも、受部３０ｅ，３０ｆは、当接部の一例である。
【００６５】
さらに、本変形例では、アーム部（回路基板１０との当接部から突出した突出部の一部）３０ｍに、凹部３０ｊが設けられ、これにより、狭窄部３０ｋが設けられている。この狭窄部３０ｋにより、一例として、アーム部３０ｍの弾性（剛性、曲がりやすさ）を設定することができる。また、一例として、狭窄部３０ｋを、衝撃荷重等の外力が作用した場合に他の部位より相対的に破断しやすい易破断部として構成することもできる。本変形例でも、受部３０ｅ，３０ｆは、当接部の一例である。
【００６６】
＜第５変形例＞
図２２は、第５変形例にかかる補強板３０Ｈの一例が示された斜視図である。本変形例では、補強板３０Ａに置換可能な補強板３０Ｈでは、第一部材３１Ｈを屈曲することで回路基板１０から離間した位置に受部３０ｅ，３０ｆが設けられている。具体的には、環状部３１ａの相互に対向する二辺に、逆Ｕ字状に突出した突出部３１ｅが設けられ、その突出部３１ｅの先端（突端）に受部３０ｅ，３０ｆが設けられている。受部３０ｅ，３０ｆの位置は、補強板３０Ａと同じに設定することができるし、別に設定することもできる。本変形例によれば、一例としては、補強板３０Ｈを構成する部材の数を減らすことができるとともに、一例としては、製造の手間を減らすことができる。
【００６７】
＜第６変形例＞
図２３は、第６変形例にかかる補強板３０Ｅを含む回路基板１０の一例が示された断面図である。本変形例では、第２変形例と同様の構成の補強板３０Ｅが、収容部品の一例としての押付部材２９を固定あるいは支持した。本変形例によれば、一例としては、押付部材２９を回路基板１０に支持あるいは固定する部材を減らすことができる。よって、一例としては、回路基板１０に押付部材２９の支持用あるいは固定用の部品が別個に設けられた場合に比べて、部品点数を減らすことができる。また、一例としては、回路基板１０に設けられる部品が減らされる分、回路基板１０で配線をより配置しやすくなる。また、本変形例では、モジュール（部品）としてのＰＣＨ２０とＣＰＵ１１との間に受部３０ｅ，３０ｆが設けられたため、一例としては、これらモジュール間での回路基板１０内での配線と、押付部材２９との配置とを、両立しやすくなる。
【００６８】
＜第７変形例＞
図２４は、第７変形例にかかる支持部材としてのコネクタ１９を含む回路基板１０の一例が示された断面図である。本変形例では、回路基板１０に設けられたモジュール（部品、第五モジュール）の一例としてのコネクタ１９が、収容部品の一例としての無線ＬＡＮモジュール４０の支持部材の一例である。コネクタ１９には、第１変形例と同様に弾性変形可能な突出部３２ｃを有しており、第１変形例と同様に、一例としては、より簡単な取付操作（例えばワンタッチ操作）で、収容部品の一例としての無線ＬＡＮモジュール４０がコネクタ１９に支持された状態を、より容易に得ることができる。また、一例としては、部品点数を減らすことができる。また、一例としては、回路基板１０に設けられる部品が減らされる分、回路基板１０で配線をより配置しやすくなる。なお、支持部材としては、図２４に示したコネクタ以外のコネクタや、コネクタの無い別のモジュール（部品）等を用いることができる。また、収容部品の支持部は、一例としては、モジュールのボディ（ハウジング、ケーシング等）とすることができるし、図２４のように、一例としては、ボディ等から突出した突出部として構成することができる。また、支持部に対する収容部品の支持方法も、弾性的な係合には限定されず、ねじ留めなど、種々に変更することが可能である。
【００６９】
以上、本発明の好適な実施形態について説明したが、本発明は上記実施形態や変形例には限定されず、種々の変形が可能である。本発明は、無線ＬＡＮモジュール以外の部品（収容部品、モジュール）にも適用することができる。
【００７０】
また、テレビジョン受像機や、電子機器、回路基板、電子部品、補強板、補強部材、収容部品、モジュール、第一モジュール、第二モジュール、部品、支持部、コネクタ、部材、接続部、第一端部、第二端部、第三端部、第一面、第二面等のスペック（構造や、形状、大きさ、長さ、幅、厚さ、高さ、数、配置、位置、材質等）は、適宜変更して実施することができる。
【００７１】
実施形態によれば、回路基板での部品（モジュール、素子）の実装効率をより高めることができる。
【符号の説明】
【００７２】
１…電子機器、１０…回路基板、１０ａ，１０ｂ…面（表面）、１８…素子（第三モジュール）、２０…ＰＣＨ（第一モジュール）、３０，３０Ａ〜３０Ｈ…補強板、３０ｂ…第一面、３０ｃ…第二面、３０ｅ…受部（第一端部、当接部）、３０ｆ…受部（第三端部、当接部）、３１ａ…環状部（周縁部）、３２…第二部材（支持部）、３２ａ…ベース部（第二端部）、４０…無線ＬＡＮモジュール（収容部品、第二モジュール）、４０ｂ…フランジ部（第一支持領域）、４０ｃ…コネクタ部（第二支持領域）、４１…コネクタ、４１ａ…接続部、１００…テレビジョン受像機。
【図１】
2012195790.tif 000003
【図２】
2012195790.tif 000004
【図３】
2012195790.tif 000005
【図４】
2012195790.tif 000006
【図５】
2012195790.tif 000007
【図６】
2012195790.tif 000008
【図７】
2012195790.tif 000009
【図８】
2012195790.tif 000010
【図９】
2012195790.tif 000011
【図１０】
2012195790.tif 000012
【図１１】
2012195790.tif 000013
【図１２】
2012195790.tif 000014
【図１３】
2012195790.tif 000015
【図１４】
2012195790.tif 000016
【図１５】
2012195790.tif 000017
【図１６】
2012195790.tif 000018
【図１７】
2012195790.tif 000019
【図１８】
2012195790.tif 000020
【図１９】
2012195790.tif 000021
【図２０】
2012195790.tif 000022
【図２１】
2012195790.tif 000023
【図２２】
2012195790.tif 000024
【図２３】
2012195790.tif 000025
【図２４】
2012195790.tif 000026
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
筐体と、
前記筐体に収容された回路基板と、
前記回路基板に設けられた電子部品と、
前記回路基板と接する第一面と、この第一面とは反対側に位置されて前記筐体の内部に露出された第二面と、を含む補強板と、
前記筐体に収容され、前記回路基板の表面から離間された第一領域と、前記補強板が接する前記回路基板の領域から外れた位置で前記回路基板と電気的に接続された第二領域と、を含む収容部品と、
前記収容部品の前記第一領域に固定された第一端部と、前記補強板の前記第二面に固定された第二端部とを有し、前記収容部品を支持した支持部と、
を備えた、電子機器。
【請求項２】
前記第一領域は、前記回路基板とは反対側から前記第一端部に重ねられた、請求項１に記載の電子機器。
【請求項３】
前記回路基板には、該回路基板の表面から離間された接続部を含むコネクタが実装され、
前記第二領域は、前記コネクタの前記接続部に接続された、請求項１または２に記載の電子機器。
【請求項４】
前記支持部は、前記第一端部とは異なる位置で、前記第一領域に当接された第三端部を有した、請求項１〜３のうちいずれか一つに記載の電子機器。
【請求項５】
筐体と、
前記筐体に収容された回路基板と、
前記回路基板に設けられた電子部品と、
前記筐体に収容され、前記回路基板の表面から離間された第一領域と、前記回路基板と電気的に接続された第二領域と、を含む収容部品と、
前記回路基板と接する第一面と、この第一面とは反対側に位置されて前記筐体の内部に露出された第二面と、この第二面から突出して前記第一領域を支持した部分と、を有する補強板と、
を備えた、電子機器。
【請求項６】
筐体と、
前記筐体に収容され、第一面とこの第一面とは反対側に位置した第二面とを有した回路基板と、
前記第一面側に設けられ、前記回路基板と電気的に接続された第一モジュールと、
前記第二面側に設けられ、前記回路基板と電気的に接続された第二モジュールと、
前記第二面側で、前記第一モジュールの反対側に位置され、前記回路基板と電気的に接続された部分から外れた前記第二モジュールの領域を支持する補強板と、
を備えた、電子機器。
【請求項７】
筐体と、
前記筐体に収容され、第一面とこの第一面とは反対側に位置した第二面とを有した回路基板と、
前記第一面側に設けられ、前記回路基板と電気的に接続された第一モジュールと、
前記第二面側に設けられ、前記回路基板と電気的に接続された第二モジュールと、
前記第二面側で、前記第一モジュールの反対側となる領域の周縁部およびこの周縁部の内側に位置された内側部分と、前記領域の外側に位置された外側部分と、を有し、前記回路基板と電気的に接続された部分から外れた前記第二モジュールの領域を支持した補強部材と、
を備えた、電子機器。
【請求項８】
前記第一モジュールと前記第二モジュールとが、前記回路基板の厚さ方向に重なった、請求項６または７に記載の、電子機器。
【請求項９】
前記第二面と前記第二モジュールとの間に位置された第三モジュールを備えた、請求項６〜８のうちいずれか一つに記載の、電子機器。
【請求項１０】
請求項１〜９のうちいずれか一つに記載の電子機器の特徴を備えたテレビジョン受像機。
【手続補正２】
【補正対象書類名】明細書
【補正対象項目名】０００６
【補正方法】変更
【補正の内容】
【０００６】
本発明の実施形態にかかる電子機器は、筐体と、回路基板と、電子部品と、補強板と、収容部品と、支持部と、を備える。回路基板は、筐体に収容される。電子部品は、回路基板に設けられる。補強板は、回路基板と接する第一面と、この第一面とは反対側に位置されて筐体の内部に露出された第二面と、を含む。収容部品は、筐体に収容され、回路基板の表面から離間された第一領域と、補強板が接する回路基板の領域から外れた位置で回路基板と電気的に接続された第二領域と、を含む。支持部は、収容部品の第一領域に固定された第一端部と、補強板の第二面に固定された第二端部とを有し、収容部品を支持する。